(57)【要約】【課題】航空測量よる情報を適切に処理し、簡便かつ正確に地理データを生成する。【解決手段】地球表面を撮像して得られる撮像画像を取得する取得部（２０）と、撮像画像から、方向性を有する少なくとも１つの対空標識を含む複数の対空標識を抽出し、抽出した対空標識の少なくとも２つを繋ぐ境界線を示す境界線情報を生成する境界線情報生成部（３０）と、を備えている。【選択図】図１
2020197634.tif 000002
【特許請求の範囲】
【請求項１】
地球表面を撮像して得られる撮像画像を取得する取得部と、
前取得部が取得した撮像画像から、方向性を有する少なくとも１つの対空標識を含む複数の対空標識を抽出し、抽出した対空標識の少なくとも２つを繋ぐ境界線を示す境界線情報を生成する境界線情報生成部と、
を備えていることを特徴とする情報処理装置。
【請求項２】
前記取得部は、
前記複数の対空標識の緯度情報及び経度情報、または、
前記複数の対空標識の緯度情報、経度情報及び高度情報
を取得し、
前記境界線情報生成部は、
前記緯度情報及び経度情報、または、
前記緯度情報、経度情報及び高度情報
を参照して、閉合した境界線によって形成された領域を示す前記境界線情報を生成する
ことを特徴とする請求項１に記載の情報処理装置。
【請求項３】
前記対空標識には、属性が予め規定されており、
前記境界線情報生成部は、前記対空標識に予め規定された属性を用いて、前記境界線、及び前記境界線で囲われた領域に係る属性情報を含む前記境界線情報を生成する
ことを特徴とする請求項１又は２に記載の情報処理装置。
【請求項４】
前記境界線情報生成部は、
前記撮像画像に含まれる複数の対空標識のうち、ある１つの対空標識である第１の対空標識の周辺に探索範囲を設定し、
設定した探索範囲に含まれる１又は複数の第２の対空標識を参照し、当該第２の対空標識の何れかと、前記第１の対空標識とを繋ぐペアリング処理を実行し、
前記ペアリング処理が成功した前記第１の対空標識と当該第２の対空標識とを繋ぐ境界線を示す境界線情報を生成する
ことを特徴とする請求項１から３の何れか１項に記載の情報処理装置。
【請求項５】
前記境界線情報生成部は、
前記探索範囲に複数の第２の対空標識が含まれる場合、当該複数の第２の対空標識に付された優先度の順に前記ペアリング処理を実行する
ことを特徴とする請求項４に記載の情報処理装置。
【請求項６】
前記境界線情報生成部は、
前記複数の第２の対空標識のうち、前記第１の対空標識からの距離がより近い第２の対空標識に対してより高い優先度を設定する
ことを特徴とする請求項５に記載の情報処理装置。
【請求項７】
前記境界線情報生成部は、
前記第１の対空標識として方向性を有する対空標識を選択し、前記探索範囲を当該方向性に応じて設定する
ことを特徴とする請求項４から６の何れか１項に記載の情報処理装置。
【請求項８】
前記境界線情報生成部は、
前記探索範囲における前記第２の対空標識が方向性を有している場合には、前記第１の対空標識の方向性と前記第２の対空標識の方向性との差が所定の範囲内である場合に、当該第１の対空標識と前記第２の対空標識とのペアリングが成功したと判定し、
前記探索範囲における前記第２の対空標識が方向性を有していない場合には、当該第１の対空標識と前記第２の対空標識とのペアリングが成功したと判定する
ことを特徴とする請求項７に記載の情報処理装置。
【請求項９】
前記境界線情報生成部は、
前記境界線情報として、閉合した境界線によって形成されたある領域から他の領域への移動経路の境界を示す境界線情報を生成する
ことを特徴とする請求項３に記載の情報処理装置。
【請求項１０】
前記対空標識は、杭に対して
当該杭の延伸方向が前記対空標識の法線方向に沿うように、かつ、
前記対空標識が前記杭の延伸方向を回転軸として、前記杭に対して回転可能となるように接続されている
ことを特徴とする請求項１から９の何れか１項に記載の情報処理装置。
【請求項１１】
地球表面を撮像して得られる撮像画像を取得する取得ステップと、
取得した前記撮像画像から、方向性を有する少なくとも１つの対空標識を含む複数の対空標識を抽出し、抽出した対空標識の少なくとも２つを繋ぐ境界線を示す境界線情報を生成する境界線情報生成ステップと、
を含むことを特徴とする情報処理方法。
【請求項１２】
請求項１に記載の情報処理装置としてコンピュータを機能させるためのプログラムであって、上記取得部、および上記境界線情報生成部としてコンピュータを機能させるためのプログラム。
【請求項１３】
方向性が規定できる図柄又は形状を有する対空標識と、
杭とを備え、
前記杭は、
当該杭の延伸方向が前記対空標識の法線方向に沿うように、かつ、
前記対空標識が前記杭の延伸方向を回転軸として、前記杭に対して回転可能となるように、
前記対空標識に対して接続されていることを特徴とする構造体。
【発明の詳細な説明】
【技術分野】
【０００１】
本発明は、情報処理装置、情報処理方法、プログラム、および構造体に関する。
【背景技術】
【０００２】
従来、無人航空機（ＵＡＶ：Unmanned Aerial Vehicle）等を用いて撮像した画像を用いて地形の測量や、地図の作成を行う航空写真測量による自動図化法が知られている（例えば、特許文献１参照）。これらの方法では、画像から、色の相違等によって道路の白線を認識したり、形状認識によって標識などを認識したりすることにより、自動で地図を作成している。
【先行技術文献】
【特許文献】
【０００３】
【特許文献１】特許第５１９４４５２号
【発明の概要】
【発明が解決しようとする課題】
【０００４】
しかしながら、上述のような従来技術は、例えば農場や建設現場のように、画像からの白線認識や標識等の形状認識により法肩位置や境界を検知することが難しい場所については、地理データを簡便に、且つ確実に生成することはできないという問題がある。
【０００５】
本発明の一態様は、上述した事情に鑑みてなされたものであり、航空測量よる情報を適切に処理し、簡便かつ正確に地理データを生成する技術を実現することを目的とする。
【課題を解決するための手段】
【０００６】
上記の課題を解決するために、本発明の一態様に係る情報処理装置は、地球表面を撮像して得られる撮像画像を取得する取得部と、前記取得部が取得した撮像画像から、方向性を有する少なくとも１つの対空標識を含む複数の対空標識を抽出し、抽出した対空標識の少なくとも２つを繋ぐ境界線を示す境界線情報を生成する境界線情報生成部と、を備えている。
【０００７】
また、上記の課題を解決するために、本発明の一態様に係る構造体は、方向性が規定できる図柄又は形状を有する対空標識と、杭とを備え、前記杭は、当該杭の延伸方向が前記対空標識の法線方向に沿うように、かつ、前記対空標識が前記杭の延伸方向を回転軸として、前記杭に対して回転可能となるように、前記対空標識に対して接続されている。
【発明の効果】
【０００８】
本発明の一態様によれば、航空測量よる情報を適切に処理し、簡便かつ正確に地理データを生成することができる。
【図面の簡単な説明】
【０００９】
【図１】本発明の実施形態に係る情報処理装置を含む情報処理システムの概要構成を示すブロック図である。
【図２】対空標識の例を示す図である。
【図３】対空標識の例を示す図である。
【図４】対空標識を用いた測量現場の例を示す図である。
【図５】対空標識の使用例を示す図である。
【図６】対空標識の探索範囲を示す図である。
【図７】情報処理装置の処理の流れを示すフローチャートである。
【図８】対空標識の設置状態を示す図である。
【発明を実施するための形態】
【００１０】
以下、本発明の実施形態について、詳細に説明する。図１は、本発明の実施形態に係る情報処理装置１０を含む情報処理システム１００の概要構成を示すブロック図である。図１に示すように、情報処理システム１００は、ＵＡＶ８０と、情報処理装置１０と、対空標識６０と、を含んでいる。
【００１１】
ＵＡＶ８０は、例えばラジコンにより目視操縦される無人航空機である。ＵＡＶ８０は、カメラ８５を備えている。
【００１２】
カメラ８５は、飛行中のＵＡＶ８０から、地球表面を撮像した撮像画像を得る。カメラ８５は、ＵＡＶ８０の操縦者、または画像撮影を行う撮影者、による操作に応じて、地球表面を撮像する構成であってもよいし、ＵＡＶ８０の飛行中は、連続的に地球表面を自動で撮像する構成であってもよい。
【００１３】
なお、カメラ８５は、無人航空機であるＵＡＶ８０に限らず、有人航空機に設置され、有人飛行による飛行中に、地球表面を撮像した撮像画像を得てもよい。本実施形態では、無人航空機であるＵＡＶ８０を用いる構成について説明しているが、無人航空機に代えて、有人航空機を用いても良いことは言うまでもない。
【００１４】
（情報処理装置１０の構成）
情報処理装置１０は、取得部２０と、境界線情報生成部３０と、マップ情報生成部４０と、シミュレーション部５０と、を含んでいる。
【００１５】
取得部２０は、処理対象の情報を外部の機器から取得する。取得部２０は、無線通信によりＵＡＶ８０と通信する。取得部２０は、例えば、所定の周波数帯の無線ＬＡＮを介して、ＵＡＶ８０と通信し、ＵＡＶ８０から処理対象の情報を取得する。
【００１６】
また、取得部２０は、ＳＤカード、およびマイクロＳＤカード等の記録媒体から情報を読み込むカードリーダを備え、記録媒体から処理対象の情報を取得してもよい。
【００１７】
取得部２０は、画像取得部２１と、位置情報取得部２２と、を含んでいる。画像取得部２１は、ＵＡＶ８０から無線通信を介して送信される地球表面を撮像して得られた撮像画像を取得する。
【００１８】
位置情報取得部２２は、画像取得部２１が取得した撮像画像を参照して、撮像画像中の対空標識６０の緯度情報及び経度情報、または緯度情報、経度情報及び高度情報を取得する。対空標識６０には、当該対空標識６０の位置を特定するための位置情報６１が付されている。
【００１９】
位置情報６１は、対空標識６０の緯度及び経度（Ｘ，Ｙ）を特定するための情報である。また、位置情報６１は、対空標識６０の高度情報（Ｚ）を含んでいてもよい。本実施形態では、対空標識６０の位置情報６１は、緯度情報、経度情報、及び高度情報を含む（Ｘ，Ｙ，Ｚ）とする。
【００２０】
対空標識６０には、位置情報６１を特定するための位置情報ラベルが付されている。位置情報ラベルは、（Ｘ，Ｙ，Ｚ）を特定するための「１」「２」「３」・・、「Ａ」「Ｂ」「Ｃ」・・等の英数字等の例であってもよいし、２次元バーコードのような画像であってもよい。位置情報取得部２２は、画像取得部２１が取得した撮像画像中に含まれる位置情報ラベルから対空標識６０の位置情報６１を取得してもよい。
【００２１】
また、対空標識６０には、位置情報６１として、当該対空標識６０を、他の対空標識と識別するための識別情報を示す識別ラベルが付されていてもよい。位置情報取得部２２は、画像取得部２１が取得した撮像画像中に含まれる識別ラベルから対空標識６０の識別情報を特定し、特定した識別情報から位置情報６１（Ｘ，Ｙ，Ｚ）を特定する構成としてもよい。この場合、位置情報取得部２２は、各識別情報と各（Ｘ，Ｙ，Ｚ）とが対応付けられた対応情報をメモリに格納しており、当該対応情報を参照することで、位置情報６１（Ｘ，Ｙ，Ｚ）を特定する構成であってもよい。
【００２２】
境界線情報生成部３０は、対空標識抽出部３１と、探索範囲設定部３２と、ペアリング処理部３３と、を含んでいる。
【００２３】
対空標識抽出部３１は、画像取得部２１が取得した撮像画像から少なくとも１つの対空標識６０を抽出する。
【００２４】
図２は、対空標識６０の例である対空標識６０ａ〜６０ｉをそれぞれ示している。対空標識６０には、人間および画像解析により方向性が規定できる図柄または形状を有する標識である「方向性を有する対空標識」と、方向性が規定できる図柄または形状を有していない標識である「方向性を有していない対空標識」とが含まれる。
【００２５】
対空標識６０ａは、楕円３の長軸の両延伸方向に直線ベクトルＶ１を持つ、方向性を有する楕円型標識である。対空標識６０ｂは、丸型標識であり、方向性を持たず、節点として用いられる。対空標識６０ｃは、円の中心点を始点として、尖った方向に直線のベクトルＶ２を持つ方向性を有する雫型標識である。
【００２６】
対空標識６０ｄは、黒色に着色された部分の１つの頂点ＶＴ１から正方形の外枠延長線上の２つの直交した直線ベクトルＶ３，Ｖ４を持つ、方向性を有する正方形型標識である。対空標識６０ｅは、黒色に着色された部分の２つの頂点ＶＴ２，ＶＴ２’を結んだ直線の両延伸方向にベクトルＶ５を持つ、方向性を有する長方形型標識である。
【００２７】
対空標識６０ｆは、白色の正方形部分ＳＱ１と、黒色に着色された正方形部分ＳＱ２と、その他の色、例えば黄色に着色された長方形部分ＲＣ１とを有する３色正方形型標識である。対空標識６０ｆは、黄色に着色された長方形部分ＲＣ１側を作業機の通行側に向くように配置され、黒色に着色された正方形部分ＳＱ２の１つの頂点ＶＴ３から正方形の外枠延長線上の外側方向に２つの直交した直線ベクトルＶ６，Ｖ７を形成する。対空標識６０ｆの通行方向に一致する直線ベクトルＶ７は、隣接する他の対空標識６０と結合して直線ベクトルを形成する。また、対空標識６０ｆのもう一方の通行方向に直交する直線ベクトルＶ６は、設定した任意の長さに対して他の対空標識６０がなければ、所定の長さの直線ベクトルを形成する。
【００２８】
これらの対空標識６０は、背景（図２に示した対空標識では白色の部分）の色を変えることで、設置される地表の属性を定義することができてもよい。例えば、地表が道路なら背景を黄色、水路なら背景を水色といったように、属性によって色を定義することができてもよい。対空標識６０ｄ〜ｆに示すうに、対空標識６０は、標識の背景の少なくとも一部を、属性に応じた色に着色することによって、地表の属性を判別することができる構成であってもよい。また、対空標識６０は、属性に応じた色に着色する位置によって、当該属性の地表の境界線に対する位置を示すことができてもよい。
【００２９】
また、図示は省略するが、対空標識６０ｄ，６０ｅ，６０ｆが、色によって地表の属性を定義する機能を備えている構成であってもよい。この場合には、対空標識６０ｄ，６０ｅ，６０ｆの図２に白色に示した部分を地表の属性に応じた色に着色することができる。
【００３０】
上述のように対空標識６０に付された属性は、対空標識抽出部３１によって抽出され、抽出された属性は、境界線情報生成部３０が境界線情報を生成する際に参照される。
【００３１】
図２に示したように、対空標識６０には、方向性を有する対空標識６０（例えば、対空標識６０ａ，６０ｃ，６０ｄ，６０ｅ，６０ｆ，６０ｇ，６０ｉ）と、方向性を有さない対空標識６０（例えば、対空標識６０ｂ，６０ｈ）とがある。対空標識抽出部３１は、画像取得部２１が取得した撮像画像から、方向性を有する少なくとも１つの対空標識６０を含む複数の対空標識６０を抽出する。境界線情報生成部３０は、対空標識抽出部３１が抽出した対空標識６０の少なくとも２つを繋ぐ境界線を示す境界線情報を生成する。
【００３２】
つまり、情報処理装置１０は、デジタル地図上に境界線を付加したい地点上に実際に物理的に設置されたこれらの対空標識の図柄または形状を、対空標識抽出部３１の機能により、画像解析によって自動認識させる。そして、情報処理装置１０は、対空標識抽出部３１が画像から抽出した対空標識について、境界線情報生成部３０の機能により、さらにその図柄または形状から方向性を画像認識によって分析し、少なくとも１つ以上の他の対空標識とマッチングさせることで境界線情報を生成する。
【００３３】
図３は、別の対空標識６０の例である対空標識６０ｊ〜６０ｏをそれぞれ示している。
対空標識６０ｊ、及び対空標識６０ｋは、Ｖ字の尖った方向に直線のベクトルＶ７，Ｖ８を持つ方向性を有する対空標識である。また、対空標識６０ｌは、矢印の向く方向に直線のベクトルＶ９を持つ方向性を有する対空標識である。これらの対空標識６０ｊ，６０ｋ，６０ｌは、上述した雫型標識と同様の用途で用いることができる。
【００３４】
対空標識６０ｍは、菱形の長軸方向の頂点を結び直線の両延伸方向に直線ベクトルＶ１０を持つ方向性を有する対空標識である。対空標識６０ｎは、長方形の中心を通り、長辺方向に延びる直線の両延伸方向に直線ベクトルＶ１１を持つ方向性を有する対空標識である。対空標識６０ｏは、矢印の向く両方向に直線ベクトルＶ１２を持つ方向性を有する対空標識である。これらの対空標識６０ｍ，６０ｎ，６０ｏは、上述した楕円型標識と同様の用途で用いることができる。
【００３５】
図２、および図３に示すように対空標識６０は、様々な態様の、人間および画像解析により方向性が既定できる図柄または形状を有する標識とすることができる。
【００３６】
図４は、複数の対空標識６０が設置された測定対象エリアの例を示す図である。図４に示すように、対空標識６０は、道路、および圃場等の境界線に、互いに間隔をあけて配置され、道路、および耕作道等の法肩を判別するために用いられる。
【００３７】
対空標識６０は、例えば、楕円型標識である対空標識６０ａが、道路の路肩に沿って、標識に示された楕円の長軸方向が互いに一致するように複数並べて設置される。また、対空標識６０は、例えば、雫型標識である対空標識６０ｃが、道路の路肩上に標識に示された円の中心が一致し、標識に示された三角形の尖った方向が路肩に沿って互いに一致するように複数並べて設置される。また、対空標識６０は、例えば、丸型標識である対空標識６０ｂが、道路の路肩上に標識に示された円の中心が一致するように複数並べて設置される。また、対空標識６０ａ，６０ｂ，６０ｃを組み合わせて、境界線を定義することができてもよい。
【００３８】
具体的には、対空標識６０ａ，６０ｂ，６０ｃは、測定対象エリアの現地視認により、道の法肩と判断される、図４に破線で示した境界線ＢＬ上に設置される。丸型標識である対空標識６０ｂは、ベクトル成分を持たないため、対空標識６０ｂの前後には、ベクトル成分を持つ雫型標識である対空標識６０ｃ、または楕円型標識である対空標識６０ａが配置される。
【００３９】
図５は、測定対象エリアにおける障害物の境界線を示すために対空標識６０を配置する場合の、対空標識６０の配置例を示す図である。図５に示すように、長方形型標識である対空標識６０ｅと、３色正方形型標識である対空標識６０ｆとを用いて、障害物の境界線が示される。また、正方形型標識である対空標識６０ｄを用いて障害物の境界線が示されてもよい。
【００４０】
対空標識６０は、例えば、正方形型標識である対空標識６０ｄの頂点ＶＴ１、または３色正方形型標識である対空標識６０ｆの頂点ＶＴ３が障害物の起点及び終点に設置されるように対空標識６０を設置することで、作業機が稼働する領域に対する障害物の境界線を定義することができる。
【００４１】
具体的には、図４、および図５に示すように、障害物とは、例えば、圃場の内側の領域、または外側の領域に設定された電柱、給水栓、ガードレール等である。これらの障害物の境界線は、図５に示すように、対空標識６０ｅと、対空標識６０ｆとの組み合わせによって示すことができる。例えば、給水栓の範囲の、圃場の境界線に沿った起点及び終点に、３色正方形型標識である対空標識６０ｆの頂点ＶＴ３が一致するように、対空標識６０ｆを配置することで、作業機が稼働する領域に対して障害物となる給水栓の境界線を示してもよい。また、圃場の外側の領域に、例えばコンクリートの土台のような障害物がある場合には、障害物の、圃場の境界線に沿った起点及び終点を対空標識６０ｆの頂点ＶＴ３で示すとともに、障害物が、起点と終点との間で連続して存在していることを、２つの対空標識６０ｆの中間に配置された長方形型標識である対空標識６０ｅで示してもよい。
【００４２】
図４に示すように、３色正方形型標識である対空標識６０ｆを用いて、障害物であるガードレールの境界線を示してもよい。この場合には、まず、ガードレールの起点と終点とを結んだ線分ｌを生成する。次に、道路の中心線に対して、対空標識６０ｆの頂点ＶＴ３を通過する垂直線を生成する。そして、当該垂直線を、対空標識６０ｆの頂点ＶＴ３から道路の外側方向に所定の長さ伸ばした線分ｍを生成する。これにより、対空標識６０ｆを用いて生成した線分ｌと、線分ｍとによって障害物であるガードレールの境界線が示される。
【００４３】
境界線情報生成部３０は、画像取得部２１が取得した撮影画像から対空標識抽出部３１が抽出した複数の対空標識６０と、位置情報取得部２２が取得したこれらの複数の対空標識６０のそれぞれの緯度情報及び経度情報を参照して、閉合した境界線によって形成された領域を示す境界線情報を生成する。また、境界線情報生成部３０は、緯度情報及び経度情報に加え、上記対空標識の高度情報を更に参照して上記境界線情報を生成する構成としてもよい。高度情報を更に参照することによって、実際の地形により忠実な境界線情報を生成することができる。
【００４４】
境界線情報生成部３０によって生成される境界線情報は、撮影画像中の１つの対空標識６０と、他の１つの対空標識６０とを繋ぐ線分である境界線を特定するための情報である。境界線情報には、撮影画像中の複数の対空標識６０のうち、少なくとも境界線の２つの端部の対空標識６０の緯度情報および経度情報を含む位置情報が含まれている。また、境界線情報には、対空標識６０によって示される境界線の方向性を示す情報が含まれている。
【００４５】
更に、境界線情報には、境界線を規定する複数の対空標識６０のそれぞれの緯度情報および経度情報を含む位置情報を含んでいてもよい。更に、複数の対空標識６０のそれぞれの位置情報には、対空標識６０の高度情報を含んでもよい。対空標識６０の位置情報が高度情報を含む場合には、境界線情報には、境界線の方向性を示す情報として、境界線の鉛直方向の方向性に関する情報も含まれる。
【００４６】
図６は、探索範囲設定部３２によって設定される対空標識６０の探索範囲ＳＡを模式的に示す図である。図６に示すように、境界線情報生成部３０は、対空標識抽出部３１が撮像画像から抽出した複数の対空標識６０のうち、ある１つの対空標識６０である第１の対空標識６０Ｏの周辺に、探索範囲設定部３２の機能により探索範囲ＳＡを設定する。
【００４７】
また、境界線情報生成部３０は、探索範囲設定部３２が設定した探索範囲ＳＡに含まれる１または複数の第２の対空標識６０Ｐ，６０Ｑ，６０Ｒを参照し、第２の対空標識６０Ｐ，６０Ｑ，６０Ｒの何れかと、第１の対空標識６０Ｏとを繋ぐペアリング処理をペアリング処理部３３の機能により実行する。
【００４８】
境界線情報生成部３０は、ペアリング処理部３３によってペアリング処理が成功した第１の対空標識６０Ｏと、第２の対空標識６０Ｐ，６０Ｑ，６０Ｒの何れかとを繋ぐ境界線を示す境界線情報を生成する。
【００４９】
境界線情報生成部３０による境界線情報生成処理の具体例を図６を用いて説明すると、境界線情報生成部３０は、まず、対空標識抽出部３１の機能により、撮像画像から、第１の対空標識を抽出する。対空標識抽出部３１は、撮像画像から抽出した複数の対空標識６０のうち、方向性を有する対空標識６０を第１の対空標識として選択する。図６は、地点Ａに設置された楕円型標識である対空標識６０Ｏが、第１の対空標識として抽出された例を示している。
【００５０】
続いて、境界線情報生成部３０は、探索範囲設定部３２の機能により、探索範囲ＳＡを設定する。探索範囲設定部３２は、探索範囲ＳＡを、第１の対空標識６０Ｏの方向性に応じて設定する。第１の対空標識６０Ｏは、楕円の長軸方向に直線ベクトルを持ち、探索範囲設定部３２は、例えば、第１の対空標識６０Ｏの長軸方向の前方および後方に対して所定の範囲を探索範囲ＳＡとして設定する。探索範囲設定部３２は、例えば、第１の対空標識６０Ｏの楕円の長軸方向に延びるＹ軸に対して所定の範囲、例えばプラス１５度〜マイナス１５度の範囲、またはプラス３ｍ〜マイナス３ｍの幅の範囲、またはこれらの両者を組み合わせた範囲を探索範囲ＳＡとして設定する。このように、探索範囲設定部３２は、第１の対空標識の方向性が示す方向に応じた探索範囲を設定する。
【００５１】
境界線情報生成部３０は、探索範囲設定部３２が設定した探索範囲ＳＡに、対空標識抽出部３１によって抽出された複数の第２の対空標識６０Ｐ，６０Ｑ，６０Ｒが含まれる場合、ペアリング処理部３３によって当該複数の第２の対空標識６０Ｐ，６０Ｑ，６０Ｒに付された優先度の順にペアリング処理を実行する。第２の対空標識６０Ｐ，６０Ｑ，６０Ｒには、ペアリング処理部３３によって、例えば、第１の対空標識からの距離がより近いものにより高い優先度が設定される。
【００５２】
また、境界線情報生成部３０は、探索範囲ＳＡにおける第２の対空標識が方向性を有している場合には、第１の対空標識６０Ｏの方向性と第２の対空標識の方向性との差が所定の範囲内である場合に、第１の対空標識６０Ｏと第２の対空標識とのペアリングが成功したと判定する。また、境界線情報生成部３０は、探索範囲ＳＡにおける第２の対空標識が方向性を有していない場合には、第１の対空標識６０Ｏと第２の対空標識とのペアリングが成功したと判定する。
【００５３】
探索範囲設定部３２は、方向性を有する第１の対空標識６０を原点とし、第１の対空標識６０のベクトル方向を軸とした局所座標系を用いて、探索範囲ＳＡを設定する。また、対空標識抽出部３１は、第１の対空標識６０のベクトル方向を軸とした局所座標系を用いて、探索範囲設定部３２によって探索範囲ＳＡ内の第２の対空標識を探索する。ペアリング処理部３３は、第１の対空標識６０のベクトル方向を軸とした局所座標系を用いて、第１の対空標識６０と第２の対空標識６０とのペアリングが成功したか否かを判定する。
【００５４】
図６は、探索範囲ＳＡ内に、第２の対空標識の候補として、対空標識６０Ｐ，６０Ｑ，６０Ｒが抽出された場合の例を示している。対空標識６０Ｐ，６０Ｑ，６０Ｒのうち、第１の対空標識６０Ｏからの距離が最も近く、優先度の高い対空標識６０Ｐは、楕円型標識であり、長軸方向に直線ベクトルを持つ。ペアリング処理部３３は、第１の対空標識６０Ｏと、対空標識６０Ｐとのペアリング処理を実行する。ペアリング処理部３３は、第１の対空標識６０Ｏの方向性と対空標識６０Ｐの方向性との差が、所定の範囲、例えばプラス１５度〜マイナス１５度の範囲であれば、第１の対空標識６０Ｏと対空標識６０Ｐとのペアリングが成功したと判定する。
【００５５】
図６に示した例では、第１の対空標識６０Ｏの方向性と、第１の対空標識６０Ｏの方向性とは、互いに直交し、所定の範囲ではないため、ペアリング処理部３３は、第１の対空標識６０Ｏと対空標識６０Ｐとのペアリングが成功しなかったと判定する。
【００５６】
ペアリング処理部３３は、続いて、第１の対空標識６０Ｏからの距離が次に近い対空標識６０Ｑについて、第１の対空標識６０Ｏとのペアリング処理を実行する。ペアリング処理部３３は、第１の対空標識６０Ｏの方向性と対空標識６０Ｑの方向性との差が、所定の範囲である場合、または、対空標識６０Ｑが方向性を有していない場合に、第１の対空標識６０Ｏと対空標識６０Ｑとのペアリングが成功したと判定する。図６に示した例では、対空標識６０Ｑは丸型標識であり、方向性を有していないため、ペアリング処理部３３は、第１の対空標識６０Ｏと対空標識６０Ｑとのペアリングが成功したと判定する。
【００５７】
また、例えば、対空標識６０Ｑが丸型標識ではなく、第１の対空標識６０Ｏとのペアリングが成功しなかった場合には、ペアリング処理部３３は、続いて、対空標識６０Ｒについて第１の対空標識６０Ｏとのペアリング処理を実行する。対空標識６０Ｒは、楕円型標識であり、長軸方向に直線ベクトルを持つ。また、第１の対空標識６０Ｏの方向性と対空標識６０Ｒの方向性との差は、プラス１５度〜マイナス１５度の範囲であるため、ペアリング処理部３３は、第１の対空標識６０Ｏと対空標識６０Ｒとのペアリングが成功したと判定する。
【００５８】
また、ペアリング処理部３３は、第１の対空標識６０、および第２の対空標識６０が共に方向性を有していない対空標識、例えば丸型標識、である場合に、第１の対空標識６０と第２の対空標識６０とのペアリングが成功したと判定する。
【００５９】
また、ペアリング処理部３３は、第１の対空標識６０が方向性を有していない丸型標識であり、第２の対空標識６０が方向性を有している対空標識、例えば雫型標識、である場合に、第２の対空標識６０の方向性が示す所定の範囲、例えばプラス１５度〜マイナス１５度の範囲、に第１の対空標識６０が含まれていれば、第１の対空標識６０と第２の対空標識６０とのペアリングが成功したと判定する。
【００６０】
境界線情報生成部３０は、ペアリング処理部３３によってペアリングが成功したと判定された第１の対空標識６０と、第２の対空標識６０との間を繋ぐことで、境界線を示す境界線情報を生成する。
【００６１】
境界線情報生成部３０は、続いて、第２の対空標識６０を第１の対空標識６０として、他の対空標識６０の抽出、探索、およびペアリングを行い、対空標識６０間のペアリングが成立する範囲における境界線情報を生成する。境界線情報生成部３０は、これにより、図４に示したように、例えば、境界線情報として、圃場の境界を示す境界線情報を生成する。このように、境界線情報生成部３０は、閉合した境界線によって形成された領域を示す境界線情報を生成する。また、境界線情報生成部３０は、境界線情報として、ある圃場から他の圃場への移動経路の境界のように、閉合した境界線によって形成されたある領域から、別の閉合した境界線によって形成された領域への移動経路の境界を示す境界線情報を生成する。
【００６２】
このように、圃場の境界を示す境界線情報のように、閉合した境界線によって形成された領域を示す境界線情報を生成することで、各領域に、例えば圃場番号等を付与して管理することができる。これにより、トラクター等の作業機の自動運転に利用する際に、圃場番号と作業機での作業履歴を連携させ、圃場毎に作業内容や実施日を管理することが出来るようになる。また、閉合した境界線によって形成された領域毎の管理が可能となるため、土地所有者、または建設現場において、不動産管理や作業管理にも好適に利用することが可能になる。さらに圃場において、圃場出入り口、道路などを領域毎に分けておくことができ、ロボットなどの作業機の移動用の制御の切り替えを領域に応じて行うことが可能になる。例えば、勾配を有している圃場出入り口等を、一領域として管理することで、ロボットの入退の方向に関する制御情報や、作業機の走行速度に関する制御情報、及びトラクター等に取り付ける作業機の昇降の関する情報を、領域毎に管理することができるようなる。
【００６３】
図４のように配置された標識を参照して、破線に示すような境界線ＢＬ１を生成する場合の境界線情報生成部３０の動作について具体的に説明する。境界線情報生成部３０は、まず、対空標識抽出部３１により、撮影画像から対空標識６０ｃ１を抽出する。対空標識６０ｃ１は方向性を有する対空標識であり、境界線情報生成部３０は、続いて、対空標識６０ｃ１を原点とし、対空標識６０ｃ１のベクトル方向を軸とした局所座標系を用いて、探索範囲ＳＡを設定する。境界線情報生成部３０は、ペアリング処理部３３の機能により、対空標識６０ｃ１と、探索範囲ＳＡ内の複数の対空標識６０のいずれかとのペアリング処理を実行する。ペアリング処理部３３は、探索範囲ＳＡ内の複数の対空標識６０のそれぞれの優先度と、対空標識６０ｃ１の方向性との差が所定の範囲内であるか否かと、に応じて、ペアリング処理が成功したか否かを判定し、対空標識６０ｂ１とのペアリング処理が成功したことを検出する。境界線情報生成部３０は、ペアリング処理が成功した対空標識６０ｃ１と、対空標識６０ｂ１とを繋ぐ境界線を示す境界線情報を生成する。
【００６４】
続いて、境界線情報生成部３０は、対空標識６０ｂ１と、対空標識６０ｂ１に対してペアリング処理を実行し、ペアリング処理が成功した対空標識６０ｂ１と対空標識６０ａ２とを繋ぐ境界線を示す境界線情報を生成する。境界線情報生成部３０は、同様に、対空標識６０ａ２と対空標識６０ｃ２とを繋ぐ境界線を示す境界線情報、対空標識６０ｃ２と対空標識６０ｃ３とを繋ぐ境界線を示す境界線情報、対空標識６０ｃ３と対空標識６０ｃ４とを繋ぐ境界線を示す境界線情報を続けて生成する。境界線情報生成部３０は、このようにして、ペアリング処理が成功した対空標識間を繋いで行くことにより、測定対象エリアにおける境界線ＢＬ１を示す境界線情報を生成する。
【００６５】
図５のように配置された標識を参照して、障害物である給排水栓ＯＢ１の境界線を生成する場合の境界線情報生成部３０の動作について具体的に説明する。境界線情報生成部３０は、まず、対空標識抽出部３１により、撮影画像から対空標識６０ｆ１を抽出する。対空標識６０ｆ１は方向性を有する対空標識であり、境界線情報生成部３０は、続いて、対空標識６０ｆ１を原点とし、対空標識６０ｆ１のベクトル方向を軸とした局所座標系を用いて、探索範囲ＳＡを設定する。
【００６６】
境界線情報生成部３０は、ペアリング処理部３３の機能により、対空標識６０ｆ１と対空標識６０ｆ２とのペアリング処理が成功したことを検出する。境界線情報生成部３０は、対空標識６０ｆ１と対空標識６０ｆ２との１つの頂点ＶＴ３によって示される、障害物である給排水栓ＯＢ１の起点と終点とを繋ぐことにより、障害物の境界線を示す境界線情報を生成する。
【００６７】
また、境界線情報生成部３０は、対空標識抽出部３１により、撮影画像から抽出された対空標識６０ｆ３と対空標識６０ｅ１とを繋ぐ境界線によって示される境界線情報、および対空標識６０ｅ１と対空標識６０ｆ４とを繋ぐ境界線によって示される境界線情報を生成し、障害物であるコンクリートＯＢ２の境界線を示す境界線情報を生成する。これにより、境界線情報生成部３０は、対空標識６０ｆ３と対空標識６０ｆ４との１つの頂点ＶＴ３によって示される、コンクリートＯＢ２の起点と終点とを繋ぎ、コンクリートＯＢ２が延在する境界線を示す境界線情報を生成する。
【００６８】
マップ情報生成部４０は、境界線情報生成部３０によって生成された境界線情報と、他のオブジェクトの位置情報とを含むマップ情報を生成する。他のオブジェクトとは、例えば、道路、出入口、電柱、給水栓、ガードレール等の障害物であり、マップ情報生成部４０は、これらの障害物の位置情報を含むマップ情報を生成してもよい。
【００６９】
マップ情報生成部４０は、画像取得部２１が取得した撮影画像を、オルソ画像に変換し、当該オルソ画像上に、境界線情報生成部３０によって生成された境界線情報に基づいて、境界線を図化する。マップ情報生成部４０は、オルソ画像上に図化された境界線を、三次元空間上に読み込んで、鉛直方向に延伸させ、鉛直曲面を形成する。マップ情報生成部４０は、形成した鉛直曲面によって区分された三次元空間の点群データ毎にメッシュデータを形成する。マップ情報生成部４０は、メッシュデータで形成された曲面と、鉛直曲面との交線を三次元空間上での境界線とする。マップ情報生成部４０は、鉛直曲面によって囲まれたメッシュ領域に、対空標識６０のそれぞれが保有する属性データを付加することで、メッシュ領域に自動的にテキスチャを割り付ける。
【００７０】
上述したように、対空標識には、属性が予め規定されており、境界線情報生成部３０は、属性を予め規定した対空標識から、当該属性を抽出し、抽出した属性を用いることで境界線および境界線で囲われた領域に係る属性情報を含む前記境界線情報を生成する。このように、境界線で囲われた領域に属性情報を付与することで、アスファルト舗装なのか土砂系舗装か等の路面状態に係る情報を属性情報として付加することで、より精密な制御を実行するために用いることが可能となる。
【００７１】
シミュレーション部５０は、境界線情報生成部３０によって生成された、ある圃場から他の圃場への移動経路を示す境界線情報を参照して、当該移動経路を、トラクター等の移動体が移動可能であるか否かをシミュレーションする。
【００７２】
ここで、シミュレーション部５０は、一例として、上記境界線情報によって規定される上記移動経路の幅と、上記移動体の幅とを比較することによって、上記移動経路を上記移動体が移動可能であるか否かをシミュレーションする。
【００７３】
（情報処理装置１０の処理の流れについて）
図７は、情報処理装置１０による処理の流れを示すフローチャートである。図７を参照して、情報処理装置１０による処理の流れを説明する。
【００７４】
（ステップＳ１）
情報処理装置１０は、画像取得部２１の機能により、ＵＡＶ８０がカメラ８５によって撮像した撮像画像を取得部２０を介して取得する。
【００７５】
（ステップＳ２）
境界情報生成部３０は、対空標識抽出部３１の機能により、画像取得部２１が取得した撮影画像から第１の対空標識６０を抽出する。
【００７６】
（ステップＳ３）
取得部２０は、位置情報取得部２２の機能により、第１の対空標識６０の緯度情報および経度情報を取得する。
【００７７】
（ステップＳ４）
境界情報生成部３０は、探索範囲設定部３２の機能により、第２の対空標識６０を探索する探索範囲を設定する。
【００７８】
（ステップＳ５）
境界情報生成部３０は、ペアリング処理部３３の機能により、第１の対空標識６０と、探索範囲内の第２の対空標識６０の候補とのペアリング処理を実行する。
【００７９】
（ステップＳ６）
ペアリング処理部３３は、ペアリングが成功したか否かを判定する。ペアリング処理部３３は、ペアリングが成功したと判定すると（ステップＳ６でＹＥＳ）、ステップＳ７に進む。ペアリング処理部３３は、ペアリングが成功しなったと判定すると（ステップＳ６でＮＯ）、ステップＳ５に戻り、探索範囲内の第２の対空標識６０の他の候補とのペアリング処理を実行する。
【００８０】
（ステップＳ７）
境界情報生成部３０は、ペアリングが成功した第１の対空標識６０と、第２の対空標識６０とを繋ぐ境界線を示す境界線情報を生成する。
【００８１】
境界線情報生成部３０は、ステップＳ２からステップＳ７の処理を繰り返し行い、撮影画像から抽出した対空標識の全てについて境界線情報を生成する。また、境界線情報生成部３０は、ステップＳ１からステップＳ７の処理を繰り返し行い、複数の撮影画像から対空標識の抽出、および境界線情報の生成を行ってもよい。
【００８２】
（ステップＳ８）
マップ情報生成部４０は、境界線情報生成部３０が生成した境界線情報を参照して、マップ情報を生成する。
【００８３】
（ステップＳ９）
シミュレーション部５０は、マップ情報生成部４０が生成したマップ情報を参照して、移動経路を移動体が移動可能であるかシミュレーションを行う。
【００８４】
このように、情報処理装置１０によって生成された境界線情報、およびマップ情報の少なくとも何れか一方は、トラクター等の移動体を無人で走行するための情報として用いられる。トラクターは、例えば、ＧＮＳＳ（Global Navigation Satellite System）情報を参照して、自車の緯度情報および経度情報などの位置情報を特定し、情報処理装置１０によって生成された境界線情報を参照して、進行すべきルートを決定し、自動走行する。
【００８５】
（対空標識の設置構成について）
図８は、対空標識６０の設置構成を示す図である。図１に示すように対空標識６０は、杭６５に回転機構６８を介して接続されている。
【００８６】
図８に示すように、対空標識６０は、杭６５に対して、杭６５の延伸方向が、対空標識６０の法線方向ＮＤに沿うように設けられている。また、対空標識６０と、杭６５とは、杭６５の延伸方向ＮＤを回転軸として、杭６５に対して対空標識６０が回転可能となるように、回転機構６８によって接続されている。回転機構６８は、杭６５に対して対空標識６０が回転可能となるよう、対空標識６０と、杭６５とを接続することができる構成であれば否かる構成であってもよく、例えば磁石によって構成されていてもよい。
【００８７】
対空標識６０を、杭６５に対して回転可能に接続した、対空標識６０と、杭６５とを含む構造体は、図８に示すように、草むらなどの整地されていな場所にも好適に設置することができるように構成されている。
【００８８】
対空標識６０を設置する場合には、まず、杭６５を設置位置の地面に打設する。そして、設置位置に打設された杭６５の頭上に、回転機構６８を介して対空標識６０を取り付ける。このとき、対空標識６０は、対空標識６０の方向性が規定の方向となるように、杭６５に接続される。
【００８９】
対空標識６０は、杭６５によって、地表面から離れた位置に設置される。このため、境界線情報生成部３０は、境界線情報を生成するさいに、少なくとも２つの対空標識６０間を繋いで形成される境界線を鉛直方向に射影し、鉛直平面と地表面とが交わった線を境界線として境界線情報を生成する。なお、草むら等の地表面が判別しにくい場所では、鉛直平面と地表面とが交わった線を正確に得ることができない。よってこのような場合には、地表面から対空標識６０までの高さを予め、例えば各対空標識６０の位置情報６１に記憶しておき、対空標識６０の地表面からの高さ位置同士で境界線を示す境界線情報を生成してもよい。
【００９０】
〔ソフトウェアによる実現例〕
情報処理装置１０の制御ブロック（特に取得部２０、境界線情報生成部３０、マップ情報生成部４０、およびシミュレーション部５０）は、集積回路（ＩＣチップ）等に形成された論理回路（ハードウェア）によって実現してもよいし、ソフトウェアによって実現してもよい。
【００９１】
後者の場合、情報処理装置１０は、各機能を実現するソフトウェアであるプログラムの命令を実行するコンピュータを備えている。このコンピュータは、例えば１つ以上のプロセッサを備えていると共に、上記プログラムを記憶したコンピュータ読み取り可能な記録媒体を備えている。そして、上記コンピュータにおいて、上記プロセッサが上記プログラムを上記記録媒体から読み取って実行することにより、本発明の目的が達成される。上記プロセッサとしては、例えばＣＰＵ（Central Processing Unit）を用いることができる。上記記録媒体としては、「一時的でない有形の媒体」、例えば、ＲＯＭ（Read Only Memory）等の他、テープ、ディスク、カード、半導体メモリ、プログラマブルな論理回路などを用いることができる。また、上記プログラムを展開するＲＡＭ（Random Access Memory）などをさらに備えていてもよい。また、上記プログラムは、該プログラムを伝送可能な任意の伝送媒体（通信ネットワークや放送波等）を介して上記コンピュータに供給されてもよい。なお、本発明の一態様は、上記プログラムが電子的な伝送によって具現化された、搬送波に埋め込まれたデータ信号の形態でも実現され得る。
【００９２】
〔まとめ〕
本発明の態様１に係る情報処理装置１０は、地球表面を撮像して得られる撮像画像を取得する取得部２０と、前記取得部２０が取得した撮像画像から、方向性を有する少なくとも１つの対空標識６０を含む複数の対空標識６０を抽出し、抽出した対空標識６０の少なくとも２つを繋ぐ境界線を示す境界線情報を生成する境界線情報生成部３０と、を備えている。
【００９３】
上記の構成によれば、撮影画像から抽出した対空標識を繋ぐことで境界線を示す境界線情報を生成することができるため、画像からの白線認識や標識等の形状認識により法肩位置や境界を検知することが難しい場所についても、航空測量よる情報を適切に処理し、簡便かつ正確に地理データを生成することができる。これにより、航空測量よって圃場等の地理データを生成することが可能となり、トラクタ等の自動走行作業機に用いるための高精度地図を生成することができる。
【００９４】
本発明の態様２に係る情報処理装置１０は、上記態様１において、取得部２０は、前記複数の対空標識の緯度情報及び経度情報、または緯度情報、経度情報及び高度情報を取得し、前記境界線情報生成部３０は、前記緯度情報及び経度情報、または前記緯度情報、経度情報及び高度情報を参照して、閉合した境界線によって形成された領域を示す前記境界線情報を生成してもよい。
【００９５】
上記の構成によれば、緯度情報及び経度情報を含む境界線情報を生成することができ、航空測量によって生成する地理データの精度を向上することができる。
【００９６】
本発明の態様３に係る情報処理装置１０は、上記態様１または２において、前記対空標識には、属性が予め規定されており、前記境界線情報生成部３０は、前記対空標識に予め規定された属性を用いて、前記境界線、及び前記境界線で囲われた領域に係る属性情報を含む前記境界線情報を生成してもよい。
【００９７】
上記の構成によれば、境界線と、境界線で囲われた領域に係る属性情報を含むマップを生成することができ、圃場等を自動走行する自動走行作業機に用いるための高精度地図を生成することができる。
【００９８】
本発明の態様４に係る情報処理装置１０は、上記態様１から３において、境界線情報生成部３０は、撮像画像に含まれる複数の対空標識６０のうち、ある１つの対空標識である第１の対空標識の周辺に探索範囲ＳＡを設定し、設定した探索範囲ＳＡに含まれる１又は複数の第２の対空標識６０を参照し、当該第２の対空標識の何れかと、第１の対空標識とを繋ぐペアリング処理を実行し、ペアリング処理が成功した第１の対空標識と第２の対空標識とを繋ぐ境界線を示す境界線情報を生成してもよい。
【００９９】
上記の構成によれば、２つの対空標識間でペアリング処理をおこない、ペアリング処理が成功した場合に、これらを繋ぐ境界線を示す境界線情報を生成するため、撮影画像に複数の対空標識６０が含まれている場合であっても、適切な２つの対空標識を繋いで、境界線情報を生成することができ、精度良く境界線情報を生成することができる。
【０１００】
本発明の態様５に係る情報処理装置１０は、上記態様４において、境界線情報生成部３０は、探索範囲ＳＡに複数の第２の対空標識６０が含まれる場合、当該複数の第２の対空標識に付された優先度の順に前記ペアリング処理を実行してもよい。
【０１０１】
上記の構成によれば、優先度の順にペアリング処理が実行されるため、適切な２つの対空標識を繋いで、境界線情報を生成することができ、精度良く境界線情報を生成することができる。
【０１０２】
本発明の態様６に係る情報処理装置１０は、上記態様５において、境界線情報生成部３０は、複数の第２の対空標識のうち、第１の対空標識からの距離がより近い第２の対空標識に対してより高い優先度を設定してもよい。
【０１０３】
上記の構成によれば、互いの距離がより違い対空標識６０に対してペアリング処理が実行され、適切な２つの対空標識を繋いで、境界線情報を生成することができ、精度良く境界線情報を生成することができる。
【０１０４】
本発明の態様７に係る情報処理装置１０は、上記態様４から６において、境界線情報生成部３０は、第１の対空標識として方向性を有する対空標識を選択し、探索範囲ＳＡを当該方向性に応じて設定してもよい。
【０１０５】
上記の構成によれば、対空標識６０により境界線の延びる方向を示し、この方向性を有する第１の対空標識を基準として、ペアリングする他の対空標識を探索することができ、精度良く境界線情報を生成することができる。
【０１０６】
本発明の態様８に係る情報処理装置１０は、上記態様７において、境界線情報生成部３０は、探索範囲ＳＡにおける第２の対空標識が方向性を有している場合には、第１の対空標識の方向性と第２の対空標識の方向性との差が所定の範囲内である場合に、当該第１の対空標識と第２の対空標識とのペアリングが成功したと判定し、探索範囲ＳＡにおける第２の対空標識が方向性を有していない場合には、当該第１の対空標識と第２の対空標識とのペアリングが成功したと判定してもよい。
【０１０７】
上記の構成によれば、対空標識６０が方向性を有し、対空標識６０により境界線の延びる方向が示されている場合に、対空標識６０が示している方向が大きく異なる対空標識６０同士がペアリングされることがなく、対空表しい６０が示している方向性に応じた境界線を示す境界線情報を適切に生成することができる。
【０１０８】
本発明の態様９に係る情報処理装置１０は、上記態様３において、境界線情報生成部３０は、境界線情報として、閉合した境界線によって形成されたある領域から他の領域への移動経路の境界を示す境界線情報を生成してもよい。
【０１０９】
上記の構成によれば、画像からの白線認識や標識等の形状認識により法肩位置や境界を検知することが難しい圃場と圃場との間の移動経路の境界を示す境界線情報を、航空測量によって精度良く生成することができる。
【０１１０】
本発明の態様１０に係る情報処理装置１０は、上記態様１から９において、対空標識６０は、杭６５に対して、当該杭６５の延伸方向が対空標識６０の法線方向ＮＤに沿うように、かつ、対空標識６０が杭６５の延伸方向を回転軸として、杭６５に対して回転可能となるように接続されていてもよい。
【０１１１】
上記の構成によれば、草むらなどの地表面が整地されていない場所にも、容易に対空標識６０を設置することができる。また、対空標識６０の設置場所に応じて適切な境界線の方向に対空標識が示す方向性を合わせることができる。
【０１１２】
本発明の態様１３に係る構造体は、方向性が規定できる図柄又は形状を有する対空標識６０と、杭６５とを備え、杭６５は、当該杭６５の延伸方向が対空標識６０の法線方向ＮＤに沿うように、かつ、対空標識６０が杭の延伸方向を回転軸として、杭６５に対して回転可能となるように、対空標識６０に対して接続されている。
【０１１３】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。
【符号の説明】
【０１１４】
１０  情報処理装置
２０  取得部
２１  画像取得部
２２  位置情報取得部
３０  境界線情報生成部
３１  対空標識抽出部
３２  探索範囲設定部
３３  ペアリング処理部
４０  マップ情報生成部
５０  シミュレーション部
６０  対空標識
６８  回転機構
１００  情報処理システム
【図１】
2020197634.tif 000003
【図２】
2020197634.tif 000004
【図３】
2020197634.tif 000005
【図４】
2020197634.tif 000006
【図５】
2020197634.tif 000007
【図６】
2020197634.tif 000008
【図７】
2020197634.tif 000009
【図８】
2020197634.tif 000010